(57)【要約】      （修正有）【課題】実用性を備え且つファッション性に優れた簡易バッグを提供する。【解決手段】バッグ本体１の厚み方向における内部空間の少なくとも前域部又は後域部に内袋３を設けてあり、前記バッグ本体１及び内袋３は透視可能な樹脂材料で構成させてある。バッグ本体１及び内袋３は、透明又は半透明である。前域部に配置される内袋３は、バッグ本体１を構成する前壁部１０に着脱可能に取り付けられている。バッグ本体１を構成する前壁部１０又は後壁部１１のうち少なくとも一方に、透視可能部分を残した状態で文字、模様が施してある。内袋３を構成する前壁部１０又は後壁部１１のうち少なくとも一方に、透視可能部分を残した状態で文字、模様が施してある。【選択図】図１
2005271961.tif 000002
【特許請求の範囲】
【請求項１】
バッグ本体の厚み方向における内部空間の少なくとも前域部又は後域部に内袋を設けてあり、前記バッグ本体及び内袋は透視可能な樹脂材料で構成させてあることを特徴とする簡易バッグ。
【請求項２】
バッグ本体及び内袋は、透明又は半透明であることを特徴とする請求項１記載の簡易バッグ。
【請求項３】
前域部に配置される内袋は、バッグ本体を構成する前壁部に着脱可能に取り付けられていることを特徴とする請求項１記載の簡易バッグ。
【請求項４】
後域部に配置される内袋は、バッグ本体を構成する後壁部に着脱可能に取り付けられていることを特徴とする請求項１記載の簡易バッグ。
【請求項５】
バッグ本体を構成する前壁部又は後壁部のうち少なくとも一方に、透視可能部分を残した状態で文字、模様が施してあることを特徴とする請求項１記載の簡易バッグ。
【請求項６】
内袋を構成する前壁部又は後壁部のうち少なくとも一方に、透視可能部分を残した状態で文字、模様が施してあることを特徴とする請求項１記載の簡易バッグ。
【請求項７】
内袋は、バッグ本体の前壁部又は後壁部の大きさよりも少しだけ小さく設定してあることを特徴とする請求項１乃至６のいずれかに記載の簡易バッグ。
【発明の詳細な説明】
【技術分野】
【０００１】
この発明は、バッグ、特に樹脂製の簡易バッグに関するものである。
【背景技術】
【０００２】
一般に、紙や樹脂等の素材により形成されている手提げ袋等の簡易バッグはコストも低廉であり、折り畳んだ状態で保管できる等の理由から多用されている。
【０００３】
しかしながら、一般に流通している紙や樹脂の素材により形成された簡易バッグは、外面に様々な、色、模様、文字や写真を印刷されているが、ファッション性よりも実用性を主とするものであった。
【０００４】
ところで、近年の若い人達は、ファッションについての感性が鋭く、簡易バッグといえども自分のファッションに合わせて購入するが、購入後は洋服の色や柄に合わないことを理由として再使用する可能性は低いと言わざるを得なかった。
【０００５】
そして、この種の簡易バッグでは、型崩れしないように形状について工夫したもの（例えば、特許文献１）や、手提げ部を上縁部内に収納できる工夫したもの（例えば、特許文献２）はあるものの、ファッション性について工夫したものはほとんど存在しない。
【特許文献１】特開２０００−１８５７４１号公報
【特許文献２】登録実用新案第３０３６３２７号公報
【発明の開示】
【発明が解決しようとする課題】
【０００６】
そこでこの発明では、実用性を備え且つファッション性に優れた簡易バッグを提供することを課題とする。
【課題を解決するための手段】
【０００７】
（請求項１記載の発明）
この発明の簡易バッグは、バッグ本体の厚み方向における内部空間の少なくとも前域部又は後域部に内袋を設けてあり、前記バッグ本体及び内袋は透視可能な樹脂材料で構成させてある。
（請求項２記載の発明）
この発明の簡易バッグは、上記請求項１記載の発明に関し、バッグ本体及び内袋は、透明又は半透明である。
（請求項３記載の発明）
この発明の簡易バッグは、上記請求項１記載の発明に関し、前域部に配置される内袋は、バッグ本体を構成する前壁部に着脱可能に取り付けられている。
（請求項４記載の発明）
この発明の簡易バッグは、上記請求項１記載の発明に関し、後域部に配置される内袋は、バッグ本体を構成する後壁部に着脱可能に取り付けられている。
（請求項５記載の発明）
この発明の簡易バッグは、上記請求項１記載の発明に関し、バッグ本体を構成する前壁部又は後壁部のうち少なくとも一方に、透視可能部分を残した状態で文字、模様が施してある。
（請求項６記載の発明）
この発明の簡易バッグは、上記請求項１記載の発明に関し、内袋を構成する前壁部又は後壁部のうち少なくとも一方に、透視可能部分を残した状態で文字、模様が施してある。（請求項７記載の発明）
この発明の簡易バッグは、上記請求項１乃至６のいずれかに記載の発明に関し、内袋は、バッグ本体の前壁部又は後壁部の大きさよりも少しだけ小さく設定してある。
【発明の効果】
【０００８】
この発明によると、実用性を備え且つファッション性に優れた簡易バッグを提供できる。
【発明を実施するための最良の形態】
【０００９】
以下にこの発明の簡易バッグを実施するための最良の形態としての実施例について詳細に説明する。
【実施例１】
【００１０】
図１はこの発明の実施例１の簡易バッグＢの正面図、図２は前記簡易バッグＢの断面図、図３は前記簡易バッグＢの平面図、図４は図２のＡ部の拡大断面図、図５は前記簡易バッグＢを構成する取付手段２１等を示す斜視図、図６は前記簡易バッグＢを構成する内袋３の斜視図、図７は前記内袋３に装飾シート４を収容させる直前の状態を示す正面図。
（この簡易バッグＢの基本的構成について）
簡易バッグＢは、図１、図２、図３に示すように、バッグ本体１と提げ手２とを具備するものであり、バッグ本体１の厚み方向における内部空間Ｋの前域部に内袋３を設けてある。ここで、この実施例では、内袋３は図４に示すように、提げ手２を介してバッグ本体１の前壁部１０に着脱自在に取り付けられている。
【００１１】
以下に、この簡易バッグＢの主要構成であるバッグ本体１、提げ手２及び内袋３について詳述する。
（バッグ本体１について）
バッグ本体１は、図１〜図３に示すように、前壁部１０と、後壁部１１と、左右の両マチ部１２，１３と底壁部１４とから構成された軟質のものであり、上端部を内部に折り返して（図４において折り返し部を符号１５で示す）上方に開放する出し入れ口を形成してある。又、このバッグ本体１は、外部から内部が透視できるように半透明の樹脂（例えば有害なガスを発生しないポリエチレン素材）により構成してあり、基本的にはバッグ本体１の内部に収容されている被収容物が見えるようになっている。
（提げ手２について）
提げ手２は、図１〜図３に示すように、弾性変形可能な軟質樹脂により構成され且つ取り付け時において円弧状となる提げ手本体２０と、バッグ本体１の前壁部１０の上端部、及び後壁部１１の上端部に取り付けるための取付手段２１とから構成されている。ここで、前記取付手段２１は図４に示すように、内袋３をバッグ本体１に取り付ける役目をもしている。なお、取付手段２１による内袋３のバッグ本体１への取り付けは後述する。
（内袋３について）
内袋３は、透明の樹脂（例えば、ポリエチレン素材）により構成されており、図４や図６に示すように、内袋本体３０と、取付手段２１によるバッグ本体１への取付代３１とを一体形成して構成すると共に上側を開放部３２としてある。また、この内袋３の図１に示す正面視では、バッグ本体１の前壁部１０の上部を除いたほぼ全域に至る大きさに設定してある。なお、この内袋３は、図２や図３に示すように、バッグ本体１の内部空間Ｋの前域部（前壁部１０付近）に配置せしめられる。
（取付手段２１の構成とこれによる内袋３の取付構造について）
取付手段２１は、図４や図５に示すように二股に分岐した片２２，２２を有しており、一方の片２２に二つの円孔２３を、他方の片２２に前記円孔２３に嵌入される二本の頭付き軸部２４を，それぞれ設けてある。なお、この取付手段２は上述した如く弾性変形可能な軟質樹脂により構成されているため、頭付き軸部２４の頭部２５をこれよりも小径の円孔２３に強制的に嵌入することができ、図４に示した状態において片２２，２２相互は不用意に外れないが、両手で片２２，２２相互を引き離すようにすれば比較的簡単に外すことができる。
【００１２】
この取付手段２１による内袋３の前壁部１０への取り付けは、図４や図５に示すように、薄板状の芯材５に内袋３の取付代３１及び前壁部１０の折り返し部１５を巻き付け、これらに共通する円孔ｈ（円孔ｈは各部材に事前に開けておいてもよいし、巻き付けた状態でにパンチにより開けてもよい）に前記頭付き軸部２４を挿入すると共に頭部２５を円孔２３を通過させるようにして実行されている。
（この簡易バッグＢの使用態様及び優れた効果について）
Ａ．図１や図７に示すように内袋３に装飾シート４を収容させる使用態様
この場合の装飾シート４は、リング状の模様（これに限定されず、文字、図形、色、模様等でもよい）を施して成るものであり、内袋３に丁度納まる大きさに設定してある。したがって、この装飾シート４を内袋３に収容させると、バッグ本体１の前壁部１０の上部を除いたほぼ全域にリング状の模様が現れることになる。
【００１３】
このように、この簡易バッグＢでは、内袋３に収容する装飾シート４を変えることにより、その日のファッション（例えば洋服）やそのときの気分により自由にバッグの模様等を変化させることができる。
Ｂ．内袋３にめくらシートを収容させる使用態様
この場合のめくらシートは、上記装飾シート４と同じ大きさとし、シート全面又は大部分に色を付けて成るものである。したがって、内袋３にめくらシートを収容させると、前壁部１０からバッグ本体１内が透視できないか又はしにくくなり、その結果、バッグ本体１内の収容物が他人に見られるようなことはなくなる。なお、めくらシートとしては不透明の部材で形成したものでもよい。
Ｃ．濡れた物を内袋３に収容させる使用態様
例えば、使用後の水着を内袋３に収容させ、その他の物はバッグ本体１に収容させる。これにより、他の物が水着と接触して濡れてしまうようなことがなくなる。
Ｄ．まとめ
上述したＡ〜Ｃに示す如く、この簡易バッグＢは、実用性を備え且つファッション性に優れていることが明らかである。
（他の実施の形態について）
上記実施例１の簡易バッグＢは方形の縦長としているが、これに限定されることなく横長でもよいし、また、方形にも限られるものではない。
【００１４】
上記実施例１の簡易バッグＢに加えて、バッグ本体１の内部空間の後域部にも実施例１と同等の手段により内袋３を設けるようにしてもよい。
【００１５】
上記実施例１の簡易バッグＢにおいて、バッグ本体１、内袋３は、共に透明、共に半透明としてもよく、内袋３を不透明で且つバッグ本体１を透明としてもよい。また、バッグ本体１又は／及び内袋３に、予め透視可能な部分を残した状態で文字、図形、色、模様等を設けておく形態を採ることもできる。後者の場合、本体１又は／及び内袋３と装飾シートの文字等とのコンビネーションにより、より変化に富む外観を形成することが可能である。
【００１６】
また、内袋３のバッグ本体１への取付は、実施例１に限定されるものではなく、他の態様を採ることができる。
【図面の簡単な説明】
【００１７】
【図１】この発明の実施例１の簡易バッグの正面図。
【図２】前記簡易バッグの断面図。
【図３】前記簡易バッグの平面図。
【図４】図２のＡ部の拡大断面図。
【図５】前記簡易バッグを構成する取付手段等を示す斜視図。
【図６】前記簡易バッグを構成する内袋の斜視図。
【図７】前記内袋に装飾シートを収容させる直前の状態を示す正面図。
【符号の説明】
【００１８】
Ｂ    簡易バッグ
Ｋ    内部空間
１    バッグ本体
２    提げ手
３    内袋
４    装飾シート
１０  前壁部
１１  後壁部
２０  提げ手本体
２１  取付手段
３０  内袋本体
３１  取付代
【図１】
2005271961.tif 000003
【図２】
2005271961.tif 000004
【図３】
2005271961.tif 000005
【図４】
2005271961.tif 000006
【図５】
2005271961.tif 000007
【図６】
2005271961.tif 000008
【図７】
2005271961.tif 000009